(57)【要約】【課題】  ツェルトの屋根、入口、および床面が連続した形状のため、靴などの汚れものを床面に置くことを余儀なくされ居住性が悪かった。また、支柱を用いてツェルトを簡易テントとして設営した際、支柱がツェルト入口側正面中央に位置するため、人の出入りや荷物等の出し入れの妨げになっていた。【解決手段】  ツェルトを入口側から見た場合の手前側に略三角錐形状の前室空間を設けるとともに、その下面部を土間スペースとすることで、靴などの汚れものを置くスペースが確保できた。このことにより、床面の居住スペースが広がり居住性が向上した。また、ツェルトの屋根とツェルトの入口の連続部に係止具を設け、支柱を逆Ｖ字形状に構成可能にした。このことにより、支柱が人の出入りや荷物等の出し入れの妨げとならなくなった。【選択図】  図１
2013177732.tif 000002
【特許請求の範囲】
【請求項１】
屋根を構成する一対のツェルト側壁部幕体と、
床面を構成する一対のツェルト床面部幕体と、
前記ツェルト側壁部幕体に連続して突出するように設けられ、入口を構成する三角形状の一対のツェルト入口部幕体と、
前記一対のツェルト入口部幕体に設けられ、両者を開閉するジッパーと、
前記一対のツェルト床面部幕体に設けられ、両者を開閉する床面部幕体用係止具と、
前記一対の側壁部幕体による前記屋根の棟の端にそれぞれ設けられる張り綱用ループと、
前記一対のツェルト床面部幕体による前記床面の隅にそれぞれ設けられるアンカー用ループと、
前記ツェルト入口部幕体の突出した端部に設けられるアンカー用ループとを備え、
簡易テントとして設営した状態での前記床面におけるツェルト入口開口部寸法に対して、前記一対のツェルト入口部幕体における入口部幕体接地部寸法の合計が長いことを特徴とするツェルト。
【請求項２】
前記床面におけるツェルト入口開口部寸法に対して、前記一対のツェルト入口部幕体における入口部幕体接地部寸法の合計が８ｃｍ以上長いことを特徴とする請求項１に記載のツェルト。
【請求項３】
前記ツェルト側壁部幕体と前記ツェルト入口部幕体の連続部に設けられる支柱用係止具と、
前記支柱用係止具に係止される支柱用棒状体とを備え、
簡易テントとして設営した状態において、前記支柱用棒状体を入口側から見た場合に、逆Ｖ字形状に構成されることを特徴とする請求項１または請求項２に記載のツェルト。
【請求項４】
前記ツェルト側壁部幕体と前記ツェルト入口部幕体の連続部から、ツェルト側壁部幕体側またはツェルト入口部幕体側のいずれかの、それぞれ１０ｃｍ以内の場所に支柱用係止具を設けることを特徴とする請求項３に記載のツェルト。
【発明の詳細な説明】
【技術分野】
【０００１】
本願発明は、居住性と出入りのしやすさを向上させた登山用具のツェルトに関する。
【背景技術】
【０００２】
ツェルト（Ｚｅｌｔ）は登山用具の一種で、登山および野外活動における天候の急変、道迷いによる日没、その他のアクシデント等の不測の事態に備える非常用のシートである。数ある使用例のうち、代表的な例をいくつかあげると
１）ジッパーと床面を閉じ、袋状にして中にもぐり込み雨露をしのぐ
２）ジッパーを閉じ、頭からかぶって雨露をしのぐ
３）シート状のまま、タープ（天幕）にして雨露をしのぐ
４）シート状のまま、体に巻きつけ、中にくるまって雨露をしのぐ
５）シート状のまま、適宜折りたたんで雪洞の蓋や出入口にする
６）簡易テントとして設営する
等がある。
【０００３】
図１２は従来型ツェルトＺ２の展開図を示した図である。
図１３は従来型ツェルトＺ２を簡易テントとして設営した際の平面を示す説明図である。
図１４は従来型ツェルトＺ２を簡易テントとして設営した際の斜視図である。
従来型ツェルトＺ２を簡易テントとして設営した際、一対の入口部幕体１０２に設けられたジッパー１０８を開閉することで、人や荷物が出入りする側を入口側とする。
ツェルト側壁部幕体１０１による屋根１１９側を側面側とする。
また、図１２〜図１４においては、図中の右側を前方Ｆ側、左側を後方Ｒ側とする。
【０００４】
図１２、図１４によると、
屋根１１９を構成する一対のツェルト側壁部幕体１０１と、
床面１２１を構成する一対のツェルト床面部幕体１０５と、
前記一対のツェルト側壁部幕体１０１に突出するように設けられ、入口を構成する三角形状の一対のツェルト入口部幕体１０２と、
前記一対のツェルト入口部幕体１０２に設けられ、両者を開閉するジッパー１０８と、
前記一対のツェルト床面部幕体１０５に設けられ、両者を連結することで床面１２１を構成する床面部幕体用係止具１１８と、
前記一対のツェルト側壁部幕体１０１による前記屋根１１９の棟１２０の端にそれぞれ設けられる張り綱用ループ１１１と、
前記一対のツェルト床面部幕体１０５による前記床面１２１の隅Ｐ１０１、隅Ｐ１０２、隅Ｐ１０３、および隅Ｐ１０４にそれぞれ設けられるアンカー用ループ１１２と、
前記一対のツェルト入口部幕体１０２の突出した端部に設けられるアンカー用ループ１１２を備えている。
【０００５】
図１３の従来型ツェルトＺ２を簡易テントとして設営した際の平面を示す説明図によると、床面１２１の隅Ｐ１０１、隅Ｐ１０２、隅Ｐ１０３、隅Ｐ１０４、および従来型ジッパー接地部Ｐ１０７において、隅Ｐ１０１から従来型ジッパー接地部Ｐ１０７間、隅Ｐ１０２から従来型ジッパー接地部Ｐ１０７間、隅Ｐ１０３から従来型ジッパー接地部Ｐ１０７間、および隅Ｐ１０４から従来型ジッパー接地部Ｐ１０７間の寸法を従来型入口部幕体接地部寸法Ｂとする。隅Ｐ１０１から隅Ｐ１０２間、および隅Ｐ１０３から隅Ｐ１０４間の寸法を床面１２１におけるツェルト入口開口部寸法Ｃとする。図１３のように従来型ツェルトＺ２においては、従来型入口部幕体接地部寸法Ｂと、床面１２１におけるツェルト入口開口部寸法Ｃとの関係はＢ＋Ｂ＝Ｃである。
【０００６】
図１４の従来型ツェルトＺ２を簡易テントとして設営した際の斜視図によると、前方Ｆ側と後方Ｒ側の両方とも、一対のツェルト入口部幕体１０２をジッパー１０８で閉じ、一対のツェルト床面部幕体１０５を床面部幕体用係止具１１８で閉じる。従来型ツェルトＺ２を簡易テントとして設営すると、ツェルト床面部幕体１０５を床面部幕体用係止具１１８で係止した床面１２１が構成され、この床面１２１の隅Ｐ１０１、隅Ｐ１０２、隅Ｐ１０３、および隅Ｐ１０４にそれぞれ取り付けられたアンカー用ループ１１２に、ペグなどのアンカー１１３を用いてそれぞれ地面に固定する。前方Ｆ側と後方Ｒ側の両方とも、従来型ツェルトＺ２の入口側正面中央に直立構成される支柱用棒状体１０９をそれぞれ設置する。従来型ツェルトＺ２の前方Ｆ側と後方Ｒ側の両方とも、一対のツェルト側壁部幕体１０１からなる屋根１１９の棟１２０の端にある張り綱用ループ１１１に接続された張り綱用細引１１０が、従来型ツェルトＺ２の入口側正面中央に直立構成される支柱用棒状体１０９をそれぞれ経由して、アンカー１１３によって地面に固定される。結果、屋根１１９の棟１２０は、支柱用棒状体１０９から吊り下げられる。これらのことによりバランスをとって簡易テントとしての形状を構成している。
【０００７】
近年では荷物等の軽量化のため、ツェルトの簡易テント機能を利用して、テント代わりに使用する人が非常に多いと言う現状があり、この目的に付随するものも知られている。例えばツェルトの内側に、左右一対の脚ポールとそれを連結する屋根ポールを補助装備とした方式がある。（特許文献１参照）
【先行技術文献】
【特許文献】
【０００８】
【特許文献１】特開２００５−４８５６３号公報
【発明の概要】
【発明が解決しようとする課題】
【０００９】
しかしながら、従来型ツェルトを簡易テントとして設営した際の形状は、およそ三角柱を横に倒した形状となり、ツェルトの屋根、ツェルトの入口、およびツェルトの床面が連続する形状で、入口を開ければすぐに床面の上となるため、靴などの汚れものを床面の上に置くことを余儀なくされていた。実際には靴自体はおよそ３０ｃｍ四方に収まるスペースしか必要としないが、畳一畳ほどの床面に対してのおよそ３０ｃｍ四方のスペースは軽視できないスペースであり、床面の居住スペースを圧迫していた。特に靴をビニール袋などに入れていない場合は、汚れに触れないように常に意識することになるので、実際のスペース以上のスペースを必要とし、床面の居住スペースをさらに圧迫していた。従来型ツェルトを簡易テントとして設営した際の斜視図、図１４参照のこと。
【００１０】
また、支柱用棒状体を用いて従来型ツェルトを簡易テントとして設営した際、ツェルトの前後に支柱用棒状体を設置する方法が多く採られるため、支柱用棒状体がツェルト入口側正面中央に位置し、人の出入りや荷物等の出し入れの妨げになっていた。従来型ツェルトを簡易テントとして設営した際の斜視図、図１４参照のこと。
【００１１】
本願発明の課題のポイントをまとめると下記に記載の通りである。
課題（１）従来型ツェルトを簡易テントとして設営した際、前室空間と土間スペースが無いため、靴などの汚れものを床面に置くことを余儀なくされ、床面の居住スペースが割かれ居住性が悪くなる点。
課題（２）支柱用棒状体を用いて従来型ツェルトを簡易テントとして設営した際、支柱用棒状体がツェルト入口側正面中央に位置するため、人の出入りや荷物等の出し入れの妨げになり使い勝手が良くない点。
【課題を解決するための手段】
【００１２】
上記課題（１）を解決するためになされた本願発明の請求項１は、
屋根を構成する一対のツェルト側壁部幕体と、
床面を構成する一対のツェルト床面部幕体と、
前記ツェルト側壁部幕体に連続して突出するように設けられ、入口を構成する三角形状の一対のツェルト入口部幕体と、
前記一対のツェルト入口部幕体に設けられ、両者を開閉するジッパーと、
前記一対のツェルト床面部幕体に設けられ、両者を開閉する床面部幕体用係止具と、
前記一対のツェルト側壁部幕体による前記屋根の棟の端にそれぞれ設けられる張り綱用ループと、
前記一対のツェルト床面部幕体による前記床面の隅に設けられるアンカー用ループと、
前記ツェルト入口部幕体の突出した端部に設けられるアンカー用ループを備え、
簡易テントとして設営した状態において、前記床面におけるツェルト入口開口部寸法に対して、前記一対のツェルト入口部幕体における入口部幕体接地部寸法の合計が長く、入口側から見た場合の手前側に略三角錐形状の前室空間が設けられるとともに、その下面部を土間スペースとすることを特徴とするツェルトである。
【００１３】
係る構成によれば、土間スペースに靴などの汚れものを置くことで、床面の居住スペースとしての活用範囲が広くなる。また、床面、服、および荷物等を汚すことが少なくなる。
【００１４】
上記課題（１）を解決するためになされた本願発明の請求項２は、
前記床面におけるツェルト入口開口部寸法に対して、前記一対のツェルト入口部幕体における入口部幕体接地部寸法の合計８ｃｍ以上長いことを特徴とする請求項１に記載のツェルトである。
【００１５】
係る構成によれば、ツェルトを簡易テントとして設営した際に構成される、略三角錐形状の前室空間とその下面の土間スペースにおいて、靴を土間スペースに置く際の最も場所を取らない置き方、すなわち靴のかかと同士を合わせ、つま先を１８０度開いて一直線上にそろえ、それらを土間スペースの中心かつ、床面に最大限引き寄せた置き方をする際の、最小限の土間スペースを確保できる。
【００１６】
上記課題（２）を解決するためになされた本願発明の請求項３は、
前記ツェルト側壁部幕体と前記ツェルト入口部幕体の連続部に設けられる支柱用係止具と、
前記支柱用係止具に係止される支柱用棒状体とを備え、
簡易テントとして設営した状態において、入口側から見た場合に、前記支柱用棒状体が逆Ｖ字形状に構成されることを特徴とする請求項１または請求項２に記載のツェルトである。
【００１７】
係る構成によれば、ツェルトを簡易テントとして設営した際の人の出入りや荷物等の出し入れの際に、支柱用棒状体がその妨げにならなくなり、スムーズな人の出入りや荷物等の出し入れが実現する。支柱用係止具を設けたことにより、トレッキングポール（歩行時に使用するスキーのストックの様な登山用具）など、別の目的ですでに持参しているものや、木の枝等の現地で調達できるものを逆Ｖ字形状に構成できるため、ツェルトの支柱専用のフレーム等を別に持参する必要もなく荷物等の軽量化につながる。また、逆Ｖ字形状の構成のため、一本の支柱用棒状体を直立構成させたものに比べ、耐風性が高くなり安定性が増加する。さらに、支柱用棒状体がツェルト側壁部幕体に沿う形状となるため、ツェルトの側壁部幕体のたわみの軽減にもなり、ツェルトの居住空間を広げることに役立つ。
【００１８】
上記課題（２）を解決するためになされた本願発明の請求項４は、
前記ツェルト側壁部幕体と前記ツェルト入口部幕体の連続部から、ツェルト側壁部幕体側またはツェルト入口部幕体側のいずれかの、それぞれ１０ｃｍ以内の場所に支柱用係止具を設けることを特徴とする請求項３に記載のツェルトである。
【００１９】
係る構成によれば、支柱用棒状体を逆Ｖ字形状に構成してツェルトを設営する際に、バランスを崩さずに設営することが可能である。
【発明の効果】
【００２０】
本願発明の請求項１によれば、ツェルトを簡易テントとして設営した状態での床面におけるツェルト入口開口部寸法に対して、一対のツェルト入口部幕体における入口部幕体接地部寸法の合計が長く、このことにより、ツェルトを簡易テントとして設営した際、ツェルトを入口側から見た場合の手前側に略三角錐形状の前室空間が構成され、その下面部を土間スペースとし、そこに靴などの汚れものを置くことで、床面の居住スペースとしての活用範囲が広くなる。また、床面、服、および荷物等を汚すことが少なくなる。
【００２１】
本願発明の請求項２によれば、ツェルトを簡易テントとして設営した際、略三角錐の前室空間が構成され、その下面部に靴を置くための最小限の土間スペースを確保することが可能である。
【００２２】
本願発明の請求項３によれば、ツェルトを簡易テントとして設営した際、支柱用棒状体が逆Ｖ字形状に構成されることで、人の出入りや荷物等の出し入れの際に、支柱用棒状体が妨げにならなくなり、スムーズな人の出入りや荷物等の出し入れが実現する。支柱用係止具を設けたことにより、トレッキングポールなど、別の目的ですでに持参しているものや、木の枝等の現地調達できるものを逆Ｖ字形状に構成できるため、ツェルト支柱用フレーム等を別に持参する必要もなく、荷物の軽量化につながる。また、逆Ｖ字形状の構成のため、一本の支柱用棒状体を直立構成させたものに比べ、耐風性が高くなり安定性が増加する。さらに、支柱用棒状体がツェルト側壁部幕体に沿う形状となるため、たわみの軽減にもなり、ツェルトの居住空間を広げることに役立つ。
【００２３】
本願発明の請求項４によれば、支柱用棒状体を逆Ｖ字形状に構成してツェルトを設営する際に、バランスを崩さずに設営することが可能である。
【図面の簡単な説明】
【００２４】
【図１】図１はツェルトの展開図を示した図である。
【図２】図２はツェルトを簡易テントとして設営した際の平面を示す説明図である。
【図３】図３はツェルトを簡易テントとして設営した際の斜視図である。
【図４】図４はツェルトの展開図を示した図である。
【図５】図５はツェルトを簡易テントとして設営した際の斜視図である。
【図６】図６はツェルトを簡易テントとして設営した際に構成される土間スペースに靴を置いた際の説明図である。
【図７】図７はツェルトを簡易テントとして設営した際の入口側から見た説明図である。
【図８】図８は図７のＡ−Ａ線断面を示す説明図である。
【図９】図９はツェルトを簡易テントとして設営した際のバリエーションを示す説明図である。
【図１０】図１０はツェルトを簡易テントとして設営した際のバリエーションを示す説明図である。
【図１１】図１１はツェルトを簡易テントとして設営した際のバリエーションを示す説明図である。
【図１２】図１２は従来型ツェルトの展開図を示した図である。
【図１３】図１３は従来型ツェルトを簡易テントとして設営した際の平面を示す説明図である。
【図１４】図１４は従来型ツェルトを簡易テントとして設営した際の斜視図である。
【発明を実施するための形態】
【００２５】
ここから図１〜図１１を利用して、発明を実施する形態を例示する。
ツェルトＺ１を簡易テントとして設営した際、一対の入口部幕体２に設けられたジッパー８を開閉することで、人や荷物が出入りする側を入口側とする。一対のツェルト側壁部幕体１による屋根１９側を側面側とする。また、図中の右側を前方Ｆ側、左側を後方Ｒ側とする。
【００２６】
ツェルトＺ１の床面２１上から靴などの汚れものを排除して、床面２１の居住スペースを広げ快適に過ごすと言う目的と、ツェルトＺ１の床面２１、服、および荷物等を汚しにくくするという目的の両方を、床面２１におけるツェルト入口開口部寸法Ｃに対して、一対のツェルト入口部幕体２における入口部幕体接地部寸法Ａの合計を長くし、ツェルトＺ１を簡易テントとして設営した際に、ツェルトＺ１を入口側から見た場合の手前側に略三角錐形状の前室空間６を構成できるようにすることで、その下面部を土間スペース７として確保し、そこに靴などの汚れもの置くことで実現可能にした。
【００２７】
ツェルトＺ１への人の出入りや荷物等の出し入れを容易にするため、支柱用棒状体９を逆Ｖ字形状に構成するという目的を、ツェルト側壁部幕体１とツェルト入口部幕体２の連続部３に支柱用係止具１４を設けると言う極々僅かな重量の増加で、トレッキングポール１５など、別の目的ですでに持参しているものや、木の枝１６等の現地で調達できるものなど、長さと太さが適当な棒状体であれば逆Ｖ字形状に構成することを可能にした。
【実施例１】
【００２８】
図１はツェルトＺ１の展開図を示した図である。
図２はツェルトＺ１を簡易テントとして設営した際の平面を示す説明図である。
図３はツェルトＺ１を簡易テントとして設営した際の斜視図である。
【００２９】
図１、図３によると、
屋根１９を構成する一対のツェルト側壁部幕体１と、
床面２１を構成する一対のツェルト床面部幕体５と、
前記ツェルト側壁部幕体１に突出するように設けられ、入口を構成する三角形状の一対のツェルト入口部幕体２と、
前記一対のツェルト入口部幕体２に設けられ、両者を開閉するジッパー８と、
前記一対のツェルト床面部幕体５に設けられ、両者を連結することで床面２１を構成する床面部幕体用係止具１８と、
前記一対のツェルト側壁部幕体１による前記屋根１９の棟２０の端にそれぞれ設けられる張り綱用ループ１１と、
前記一対のツェルト床面部幕体５による前記床面２１の隅Ｐ１、隅Ｐ２、隅Ｐ３、および隅Ｐ４にそれぞれ設けられるアンカー用ループ１２と、
前記ツェルト入口部幕体２の突出した端部に設けられるアンカー用ループ１２を備えている。
【００３０】
図２によると、床面２１の隅Ｐ１、隅Ｐ２、隅Ｐ３、隅Ｐ４、前方Ｆ側のジッパー接地部Ｐ５、および後方Ｒ側の従来型ジッパー接地部Ｐ７において、隅Ｐ１からジッパー接地部Ｐ５間、隅Ｐ２からジッパー接地部Ｐ５間の寸法を入口部幕体接地部寸法Ａとする。隅Ｐ３から従来型ジッパー接地部Ｐ７間、隅Ｐ４から従来型ジッパー接地部Ｐ７間の寸法を従来型入口部幕体接地部寸法Ｂとする。隅Ｐ１から隅Ｐ２間、および隅Ｐ３から隅Ｐ４間の寸法を床面２１におけるツェルト入口開口部寸法Ｃとする。
【００３１】
図１、図２によると、前室空間６と土間スペース７を設ける前方Ｆ側の入口部幕体接地部寸法Ａの方が、何も設けない後方Ｒ側の従来型入口部幕体接地部寸法Ｂに比べ明らかに長くなっている。図２を数式でさらに説明すると、後方Ｒ側おいては、従来型入口部幕体接地部寸法Ｂと床面２１におけるツェルト入口開口部寸法Ｃの関係は、Ｂ＋Ｂ＝Ｃであるのに比べ、前方Ｆ側においては、入口部幕体接地部寸法Ａと床面２１におけるツェルト入口開口部寸法Ｃの関係は、Ａ＋Ａ＞Ｃである。このことにより、ツェルトＺ１を簡易テントとして設営した際、前方Ｆ側に略三角錐形状の前室空間６、およびその下面部の土間スペース７が新たに構成される。
【００３２】
具体的にこの例示では、ツェルトＺ１に前室空間６およびその下面の土間スペース７を構成するため、床面２１におけるツェルト入口開口部寸法Ｃに対して、一対のツェルト入口部幕体２における入口部幕体接地部寸法Ａの合計を８ｃｍ以上長くすることで、靴を置くための最小限の土間スペース７を確保することが可能になる。すなわち入口部幕体接地部寸法Ａと床面２１におけるツェルト入口開口部寸法Ｃとの関係はＡ＋Ａ≧Ｃ＋８ｃｍである。
【００３３】
図３によると、前方Ｆ側と後方Ｒ側の両方とも、一対の入口部幕体２をジッパー８で閉じ、一対のツェルト床面部幕体５を床面部幕体用係止具１８で閉じる。ツェルトＺ１を簡易テントとして設営すると、床面部幕体５を床面部幕体用係止具１８で係止した床面２１が構成され、この床面２１の隅Ｐ１、隅Ｐ２、隅Ｐ３、隅Ｐ４、およびツェルト入口部幕体２の突出した端部にそれぞれ取り付けられたアンカー用ループ１２に、ペグなどのアンカー１３を用いてそれぞれ地面に固定する。前方Ｆ側と後方Ｒ側の両方とも、ツェルトＺ１の入口側正面中央に直立構成される支柱用棒状体９をそれぞれ設置する。ツェルトＺ１の前方Ｆ側と後方Ｒ側の両方とも、一対のツェルト側壁部幕体１からなる屋根１９の棟２０の端にある張り綱用ループ１１に接続された張り綱用細引１０が、ツェルトＺ１の入口側正面中央に直立構成される支柱用棒状体９をそれぞれ経由して、アンカー１３によって地面に固定される。結果、屋根１９の棟２０は、支柱用棒状体９から吊り下げられる。これらのことによりバランスをとって簡易テントとしての形状を形成している。
【００３４】
図６はツェルトＺ１を簡易テントとして設営した際に構成される土間スペース７に靴を置いた際の説明図である。
図６（ａ）は靴を平行にそろえて、つま先側を前方Ｆ側方向に向けて置いた図である。
図６（ｂ）は靴のかかと同士を合わせ、１８０度開いて一直線上にそろえ、それらを土間スペース７の中心かつ、床面２１に最大限引き寄せて置いた図である。
図６（ｂ）は請求項２における靴を置くための最小限の土間スペース７を示した図である。
【００３５】
図８は図７のＡ−Ａ線断面を示す説明図である。
前方Ｆ側に前室空間６とその下面の土間スペース７が構成されている。
【００３６】
図９はツェルトを簡易テントとして設営した際のバリエーションの説明図である。
図９（ａ）はツェルトＺ１の前方Ｆ側と後方Ｒ側の両方ともに前室空間６と土間スペース７を設けた形状である。
図９（ｂ）はツェルトＺ１の前方Ｆ側のみに前室空間６と土間スペース７を設けた形状である。
【００３７】
図３、図５、図６、図８、図９、および図１０のように、ツェルトＺ１を簡易テントとして設営した際、ツェルトＺ１に略三角錐形状の前室空間６を設けるとともに、その下面部を土間スペース７とすることで、靴などの汚れものを土間スペース７に置くことができるようになり、そのことで床面２１を広く居住スペースとして利用できるようになり居住性が向上した。また床面２１および服や荷物等を汚すことが少なくなった。
【実施例２】
【００３８】
図４はツェルトＺ１の展開図を示した図である。
図５はツェルトＺ１を簡易テントとして設営した際の斜視図である。
【００３９】
図４、図５によると、
屋根１９を構成する一対のツェルト側壁部幕体１と、
床面２１を構成する一対のツェルト床面部幕体５と、
前記ツェルト側壁部幕体１に突出するように設けられ、入口を構成する三角形状の一対のツェルト入口部幕体２と、
前記一対のツェルト入口部幕体２に設けられ、両者を開閉するジッパー８と、
前記一対のツェルト床面部幕体５に設けられ、両者を連結することで床面２１を構成する床面部幕体用係止具１８と、
前記一対のツェルト側壁部幕体１による前記屋根１９の棟２０の端にそれぞれ設けられる張り綱用ループ１１と、
前記一対のツェルト床面部幕体５による前記床面２１の隅Ｐ１、隅Ｐ２、隅Ｐ３、および隅Ｐ４にそれぞれ設けられるアンカー用ループ１２と、
前記ツェルト入口部幕体２の突出した端部に設けられるアンカー用ループ１２と、
前記ツェルト側壁部幕体１と前記ツェルト入口部幕体２の連続部３に設けられる支柱用係止具１４と、
前記支柱用係止具１４に係止される支柱用棒状体９とを備えている。
【００４０】
図５によると、前方Ｆ側と後方Ｒ側の両方とも、一対の入口部幕体２をジッパー８で閉じ、一対のツェルト床面部幕体５を床面部幕体用係止具１８で閉じる。ツェルトＺ１を簡易テントとして設営すると、床面部幕体５を床面部幕体用係止具１８で係止した床面２１が構成され、この床面２１の隅Ｐ１、隅Ｐ２、隅Ｐ３、隅Ｐ４、およびツェルト入口部幕体２の突出した端部にそれぞれ取り付けられたアンカー用ループ１２に、ペグなどのアンカー１３を用いてそれぞれ地面に固定する。前方Ｆ側においては、ツェルト側壁部幕体１とツェルト入口部幕体２の連続部３に設けられた支柱用係止具１４に、支柱用棒状体９を逆Ｖ字形状に設置する。一対のツェルト側壁部幕体１からなる屋根１９の棟２０の端にある前方Ｆ側の張り綱用ループ１１に張り綱用細引１０を接続して、ペグなどのアンカー１３を用いて地面に固定する。後方Ｒ側においては、一対のツェルト側壁部幕体１からなる屋根１９の棟２０の端にある、後方Ｒ側の張り綱用ループ１１に接続された張り綱用細引１０が、ツェルトＺ１の入口側正面中央に直立構成される支柱用棒状体９を経由して、アンカー１３によって地面に固定される。結果、屋根１９の棟２０は、支柱用棒状体９から吊り下げられる。これらのことによりバランスをとって簡易テントとしての形状を形成している。
【００４１】
具体的にこの例示では、ツェルトＺ１を設営するため、ツェルト側壁部幕体１とツェルト入口部幕体２の連続部３からツェルト側壁部幕体１側またはツェルト入口部幕体２側のいずれかの、それぞれ１０ｃｍ以内の場所に支柱用係止具１４を設け、支柱用棒状体９を設置することで、バランスを崩さずにツェルトＺ１を設営することが可能になる。
【００４２】
図１０はツェルトＺ１を簡易テントとして設営した際のバリエーションの説明図である。
図１０（ａ）はツェルトＺ１の前方Ｆ側と後方Ｒ側の両方ともに前室空間６と土間スペース７を設け、且つツェルトＺ１の前方Ｆ側と後方Ｒ側の両方ともに支柱用係止具１４を設け、支柱用棒状体９を逆Ｖ字形状に設置した形状である。
図１０（ｂ）はツェルトＺ１の前方Ｆ側のみに前室空間６と土間スペース７を設け、且つツェルトＺ１の前方Ｆ側のみに支柱用係止具１４を設け、支柱用棒状体９を逆Ｖ字形状に設置した形状である。
【００４３】
図１１はツェルトＺ１を簡易テントとして設営した際のバリエーションの説明図である。
図１１（ａ）、（ｂ）はツェルトＺ１を簡易テントとして設営した際、外側に支柱用係止具１４を設けるバリエーションで、トレッキングポール１５および木の枝１６等をツェルトＺ１の外側に逆Ｖ字形状に設置した形状である。
図１１（ｃ）、（ｄ）はツェルトＺ１を簡易テントとして設営した際、内側に支柱用係止具１４を設けるバリエーションで、トレッキングポール１５および木の枝１６等をツェルトＺ１の内側に逆Ｖ字形状に設置した形状である。
【００４４】
図５、図１０、および図１１のように、支柱用棒状体９を逆Ｖ字形状に設置することにより、ツェルトＺ１に人が出入りする際や荷物等を出し入れする際に、支柱用棒状体９が妨げとならず、スムーズな人の出入りや荷物等の出し入れが実現する。また、逆Ｖ字形状の構成のため、一本の支柱用棒状体９を直立構成させたものに比べ、耐風性が高くなり安定性が増加する。さらに、支柱用棒状体９がツェルト側壁部幕体１に沿う形状となるため、たわみの軽減にもなり、ツェルトＺ１の居住空間を広げることに役立つ。支柱用棒状体９には図１１（ａ）、（ｃ）のように他の目的ですでに持参しているトレッキングポール１５を用いる方法や、図１１（ｂ）、（ｄ）のように現地で調達した木の枝１６等の、長さと太さが適当な棒状体を用いるといったバリエーションで応用可能である。
【００４５】
図１１によると、ツェルトＺ１の前方Ｆ側と後方Ｒ側の両方にあるツェルト入口部幕体２は、その中央にあるジッパー８により開閉可能で、図１１（ｅ）のように、両方を入口部幕体固定用係止具１７にて固定することで解放可能である。また、図１１（ｆ）のように、片方のみを入口部幕体固定用係止具１７にて固定して解放する方法もある。
【産業上の利用可能性】
【００４６】
ツェルトに前室空間と土間スペースを設けて汚れものをそこに置き、床面の居住スペースを広げたことで、野営時における各種作業や就寝時において、よりリラックスすることができるようになった。また、支柱用棒状体を逆Ｖ字形状に設置可能にし、人の出入りや荷物等の出し入れを容易にしたことで、野営時における疲労した状況での各種作業が容易になった。以上のことにより、疲労を最小限に留めかつ最大限に回復することで、遭難防止すなわち人命にかかわる重要な役割を果たす。本願発明はこのような効果を有するツェルトにおいて、産業上利用可能性が大きい。
【符号の説明】
【００４７】
Ｚ１  ツェルト
Ｚ２  従来型ツェルト
Ｆ  前方
Ｒ  後方
１  ツェルト側壁部幕体
２  ツェルト入口部幕体
３  連続部
４  入口部幕体接地部
５  ツェルト床面部幕体
６  前室空間
７  土間スペース
８  ジッパー
９  支柱用棒状体
１０  張り綱用細引
１１  張り綱用ループ
１２  アンカー用ループ
１３  アンカー
１４  支柱用係止具
１５  トレッキングポール
１６  木の枝
１７  入口部幕体固定用係止具
１８  床面部幕体用係止具
１９  屋根
２０  棟
２１  床面
Ｐ１  隅
Ｐ２  隅
Ｐ３  隅
Ｐ４  隅
Ｐ５  ジッパー接地部
Ｐ７  従来型ジッパー接地部
Ａ  入口部幕体接地部寸法
Ｂ  従来型入口部幕体接地部寸法
Ｃ  ツェルト入口開口部寸法
【図１】
2013177732.tif 000003
【図２】
2013177732.tif 000004
【図３】
2013177732.tif 000005
【図４】
2013177732.tif 000006
【図５】
2013177732.tif 000007
【図６】
2013177732.tif 000008
【図７】
2013177732.tif 000009
【図８】
2013177732.tif 000010
【図９】
2013177732.tif 000011
【図１０】
2013177732.tif 000012
【図１１】
2013177732.tif 000013
【図１２】
2013177732.tif 000014
【図１３】
2013177732.tif 000015
【図１４】
2013177732.tif 000016